(57)【要約】【課題】  広告主は低価格料金で自らのホームページへのアクセス回数を増やして宣伝効果が高められる一方、需要者は地域版でＵＲＬが満載した価値の高い情報を一枚紙で入手でき、インターネットで検索しなくても必要とするホームページに簡単にアクセスできるホームページ紹介情報広告紙を提供する。【解決手段】  一枚紙で形成され、その紙面１ａに多数の広告割当てマス２が区分けして設けられ、且つ各マス２が広告掲載を求める広告主用スペース３に配分されると共に、配分された各広告主用スペース３に地域密着性の高い広告主名４と、該広告主のＵＲＬ５と電話番号６と住所７と、からなる記事が掲載されている。【選択図】  図１
2006010987.tif 000002
【特許請求の範囲】
【請求項１】
一枚紙で形成され、その紙面に多数の広告割当てマスが区分けして設けられ、且つ各マスが広告掲載を求める広告主用スペースに配分されると共に、配分された各広告主用スペースに広告主名と該広告主のＵＲＬとを備える記事が掲載されていることを特徴とするホームページ紹介情報広告紙。
【請求項２】
一枚紙で形成され、その紙面に多数の広告割当てマスが区分けして設けられ、且つ各マスが広告掲載を求める広告主用スペースに配分されると共に、配分された各広告主用スペースに広告主名と該広告主のＵＲＬの情報をコード化した二次元コードとを備える記事が掲載されていることを特徴とするホームページ紹介情報広告紙。
【請求項３】
一枚紙で形成され、その紙面に多数の広告割当てマスが区分けして設けられ、且つ各マスが広告掲載を求める広告主用スペースに配分されると共に、配分された各広告主用スペースに地域密着性の高い広告主名と、該広告主のＵＲＬと電話番号と住所と、からなる記事が掲載されていることを特徴とするホームページ紹介情報広告紙。
【請求項４】
一枚紙で形成され、その紙面に多数の広告割当てマスが区分けして設けられ、且つ各マスが広告掲載を求める広告主用スペースに配分されると共に、配分された各広告主用スペースに地域密着性の高い広告主名と、該広告主のＵＲＬと電話番号と住所と、該広告主のＰＲ文と、からなる記事が掲載されていることを特徴とするホームページ紹介情報広告紙。
【請求項５】
前記広告主用スペースに、さらにＵＲＬの情報をコード化した二次元コードの記事が掲載されている請求項３又は４に記載のホームページ紹介情報広告紙。
【請求項６】
前記広告主のＵＲＬの記事スペースが、その広告掲載を求める広告主用スペースに対して３０％〜７０％の比率を占める請求項１乃至５のいずれかに記載のホームページ紹介情報広告紙。
【発明の詳細な説明】
【技術分野】
【０００１】
本発明は新聞折込みチラシやＤＭチラシなどに用いられるホームページ紹介情報広告紙に関する。
【背景技術】
【０００２】
インターネットの普及に伴い、各企業等が盛んにホームページを設け、自らの広告情報を提供している。しかしながら、多額の資金,労力を投入してホームページを開設しても、そこにアクセスされる数が意外と少なく有効活用されていないのが現状である。一方、ユーザ(需要者)はキーワード検索等をしてアクセスし、希望のホームページにたどり着くまでに非常な手間とアクセス費用がかかっている。特に地域密着性のある小売店,飲食店や公共施設、地元の病院などは、ネットワークで全国,世界規模に広がる広告情報から、求めるＵＲＬを的確に見つけ出すのは大変であった。こうしたことから地域性の高い買い物情報等の広告だけを地域に向け効果的に提供するシステムが提案されている（例えば特許文献１）。
【０００３】
【特許文献１】特開２００２−７８６０
【０００４】
引例１は小売り販売店が地域において、販売促進のために小売り販売広告を、インターネットのウエブサイト上に一定時間だけ掲載し、該掲載した小売り販売広告に対して、広告掲載費用を課金するインターネット上の広告システムにおいて、インターネットのウエブサイト上には、日本全国を都道府県又は市町村の単位で分割して、各分割した地域毎に異なる広告情報を掲載しようとするものである。
【発明の開示】
【発明が解決しようとする課題】
【０００５】
しかるに、前記引例１にあってもその広告情報のＵＲＬが判らなければ気軽に且つ簡単にアクセスできない問題があった。この問題を解決すべく、地域性のあるレストラン等の広告主がＵＲＬを入れた新聞折込みチラシ広告を単独で行おうとすれば費用が嵩む別の問題があった。従来の折込みチラシは広告主が単独で出しているため、製作費用,紙等印刷費用,折込み代等の負担が大きかった。その一方で、ホームページを見てもらうためにＵＲＬ情報が加わったとしても、その折込みチラシを受け取った地域需要者は一つの広告主情報だけが載るチラシ広告を保管するのは無駄が多かった。結局、よほどの広告内容でない限り捨てられる運命にあった。
またタウンページと呼ばれる広告本にはＵＲＬを入れた広告が散見されるが、ぶ厚い本をめくって調べるのは効率が悪かった。需要者にとって、タイムリーにすばやく且つ効率よく調査するのに不便であった。
【０００６】
本発明は上記問題点を解決するもので、広告主は低価格料金で自らのホームページへのアクセス回数を増やして宣伝効果が高められる一方、需要者は地域版でＵＲＬが満載した価値の高い情報を一枚紙で入手でき、インターネットで検索しなくても必要とするホームページに簡単にアクセスできるホームページ紹介情報広告紙を提供することを目的とする。
【課題を解決するための手段】
【０００７】
上記目的を達成すべく、請求項１に記載の発明の要旨は、一枚紙で形成され、その紙面に多数の広告割当てマスが区分けして設けられ、且つ各マスが広告掲載を求める広告主用スペースに配分されると共に、配分された各広告主用スペースに広告主名と該広告主のＵＲＬとを備える記事が掲載されていることを特徴とするホームページ紹介情報広告紙にある。
請求項２に記載の発明の要旨は、一枚紙で形成され、その紙面に多数の広告割当てマスが区分けして設けられ、且つ各マスが広告掲載を求める広告主用スペースに配分されると共に、配分された各広告主用スペースに広告主名と該広告主のＵＲＬの情報をコード化した二次元コードとを備える記事が掲載されていることを特徴とするホームページ紹介情報広告紙にある。
請求項３に記載の要旨は、一枚紙で形成され、その紙面に多数の広告割当てマスが区分けして設けられ、且つ各マスが広告掲載を求める広告主用スペースに配分されると共に、配分された各広告主用スペースに地域密着性の高い広告主名と、該広告主のＵＲＬと電話番号と住所と、からなる記事が掲載されていることを特徴とするホームページ紹介情報広告紙にある。
ここで、「地域密着性の高い」とはその地域(市町村)に住所又は営業拠点や事業拠点が存在し、その地域に対して係りが深いことをいう。具体的には、小売店,飲食店や娯楽施設,病院などが地域密着性の高いものとなる。
請求項４に記載の要旨は、一枚紙で形成され、その紙面に多数の広告割当てマスが区分けして設けられ、且つ各マスが広告掲載を求める広告主用スペースに配分されると共に、配分された各広告主用スペースに地域密着性の高い広告主名と、該広告主のＵＲＬと電話番号と住所と、該広告主のＰＲ文と、からなる記事が掲載されていることを特徴とするホームページ紹介情報広告紙にある。
請求項５の発明たるホームページ紹介情報広告紙は、請求項３又は４で、広告主用スペースに、さらにＵＲＬの情報をコード化した二次元コードの記事が掲載されていることを特徴とする。
請求項６の発明たるホームページ紹介情報広告紙は、広告主のＵＲＬの記事スペースが、その広告掲載を求める広告主用スペースに対して３０％〜７０％の比率を占めることを特徴とする。
【０００８】
(作用)
請求項１,３の発明のごとく、一枚紙で形成され、その紙面に多数の広告割当てマスが区分けして設けられ、且つ各マスが広告掲載を求める広告主用スペースに配分されると共に、配分された各広告主用スペースに広告主名と該広告主のＵＲＬが設けられると、ＵＲＬの一覧表を手にすることができるので、それを見てパソコン等に入力することによって簡単に希望するホームページに到達できる。キーワード検索やアクセス費用を要しない。地域密着性の高い広告主を選ぶことによって利用価値が一段と高まる。一方、一枚紙で形成された紙面に多数の広告割当てマスが区分けして設けられるので、広告主は低価格料金でホームページへのアクセスを増やすことができる。そして集合広告紙であるので、広告主の広告負担額を軽減できるメリットもある。
請求項２,５の発明のごとく、広告主用スペースに広告主のＵＲＬの情報をコード化した二次元コードの記事が掲載されていると、コードリーダ機能を備える携帯電話等によって前記二次元コードの面情報をすばやく取り込めるので、瞬時に前記広告主のホームページに入り込めるようになる。ＵＲＬの文字を入力する手間が要らなくなり、極めて便利になる。
請求項４の発明のごとく、広告主のＰＲ文の記事が加わると、そのＰＲ文によって需要者の関心を高めることができ、その広告主のホームページへのアクセス回数が増えるようになる。
請求項６の発明のごとく、広告主のＵＲＬの記事スペースが、その広告掲載を求める広告主用スペースに対して３０％〜７０％の比率を占めると、ＵＲＬの文字が見やすくなり、より一層利便性に富んだものになる。
【発明の効果】
【０００９】
本発明のホームページ紹介情報広告紙は、需要者には地域版でＵＲＬが満載した価値の高い情報を一枚紙で入手でき、インターネットで検索しなくても必要とするホームページに簡単にアクセスできる一方、広告主にとっても低価格負担で自己のホームページへのアクセス回数を増やし宣伝効果が高められ、さらに紙媒体の単独の広告紙に比べ紙資源消費が少なくなるなど優れた効果を発揮する。
【発明を実施するための最良の形態】
【００１０】
以下、本発明に係るホームページ紹介情報広告紙について詳述する。図１〜図５は本発明のホームページ紹介情報広告紙(以下、単に「ホームページ紹介広告紙」という。）の一形態で、図１はその平面図、図２〜図４は図１と別態様のホームページ紹介広告紙の平面図、図５はホームページ紹介広告紙の使用状態の説明斜視図である。
【００１１】
ホームページ紹介広告紙１は、例えば四角形のＢ３用紙等の一枚紙で形成され、その紙面１ａに多数の細長長方形の広告割当てマス２(枡)が区分けして設けられる。図１ではＢ３用紙の最上段に「地域限定お役立ちＵＲＬ表」のタイトルとＵＲＬ紹介広告の取扱店の記事と共に保存を促す「保存版」の文字およびホームページへのアクセス,活用を促す文章を掲載する欄αが設けられ、最下段に帯状にケーブルインターネットの広告記事を掲載する欄βとが設けられているが、これら以外の残りのＢ３用紙の大半が広告割当てマス２に使われ、ここでは、４０個(１０×４)ものマス２に区分け形成された格好になっている。４０個あるマス２が４つの業種,分野別ブロックに分けられ、「娯楽・ファッション・お食事・冠婚葬祭」,「公共・施設・介護・イベント」,「不動産・マンション・中古車情報」,「地元の病院・歯科・皮膚科」のそれぞれに１０個のマス２が配置されている。各１マスが１コマ或いは１枠として広告掲載を求める広告主用スペース３に配分される構成である。
【００１２】
配分された前述の各広告主用スペース３には、広告主名４と該広告主のＵＲＬ５とを備える記事が掲載される。図１では、広告主名４と、該広告主のＵＲＬ５と電話番号６と住所７と、からなる記事が掲載されている。図中、広告主名４と、該広告主のＵＲＬ５と電話番号６と住所７と、からなる記事は左上の２カ所にしか示さないが、実際は４０個あるマス２の全てに広告主のホームページ紹介情報広告が入っており、他の部分は図示を省略している。
各広告主用スペース３には、ＵＲＬ５を見て需要者がホームページにアクセスし易いように、ＵＲＬ５の文字が大きく表示される。ここで、ＵＲＬ５のＵＲＬはUniform Resource Locaterの略で、WWWの仕組みではWWWサーバや情報を特定するために用いられている。ＵＲＬ５が判ればそのホームページにアクセスできる。本発明でいうＵＲＬ５にはパソコンなどで使用できるＵＲＬだけでなく、携帯電話用ＵＲＬを含むものとする。
広告主名４はＵＲＬ５の文字の大きさでないにしても、ＵＲＬ５がその広告主のものであるのが容易に判別できるよう、ある程度大きめに表示される。これに対し、該広告主の電話番号６と住所７は、ＵＲＬ５や広告主名４の文字大きさに比べ小さくする。連絡先を明示するものであって、ＵＲＬ５や広告主名４の記事に対する利用頻度に比べれば低いからである。広告主は地域との関係が深い「娯楽・ファッション・お食事・冠婚葬祭」等の営業,事業を行っている企業や個人、公的機関である。地域との密着性が高い、例えば商店、季節によるイベント情報、車屋、娯楽スポーツ、病院、就職情報、塾、教室などの営業主や事業主である。なお、広告主の所在地や連絡先が明白でないと新聞等の折込み業者基準に抵触するため電話番号６と住所７を挿入するが、地域密着で誰でも判る広告主名４で、その電話番号６と住所７の記事記載の義務付けが解消されれば両者は省くことができる。
【００１３】
Ｂ３用紙の一枚紙のなかに４０個ものマス２に区分けされているため、１マスに盛り込める記事のボリュームは限られる。１マスの大きさは２ｃｍ×１０ｃｍほどの大きさであり、たくさん記事を盛り込めば盛り込むほど見づらくなる。本発明はホームページ紹介情報であるため、図１は必要最小限の広告主名４と、該広告主のＵＲＬ５と電話番号６と住所７と、に限定している。それでも、これらの文字を均等にすると見にくくなるので、ＵＲＬ５がメインでこれが利用に供されることを踏まえ、ＵＲＬ５の文字を見易くなるよう大きく設定する。さらに図１に示すように各マス２の最上段の筆頭位置にＵＲＬ５の文字を配設する。各マス２の筆頭位置にＵＲＬ５の文字を配設することによって、ＵＲＬ５の文字が際立ち且つ読み取り易くなっている。
【００１４】
ところで、このホームページ紹介広告紙１は例えば月一回から二回程度のインタバルで新聞の折込みやＤＭ等で各家庭に配布する方法が考えられるが、広告主は時にセール中やイベント中やキャンペーン中であること等のＰＲ文８を加えたい場合がある。図２は図１のホームページ紹介広告紙１の各広告主用スペース３に、さらに広告主の「お値打ち物件多数表示」等のキャッチコピーのＰＲ文８の記事が追加掲載された別態様のホームページ紹介広告紙１を示す。需要喚起するＰＲ文８が入ることによってその直ぐ隣(上)にあるＵＲＬ５で、広告主のホームページにアクセスする需要者の意欲を高めることができる。
【００１５】
ここで、ＵＲＬ５の文字は、既述のごとく見易くなるよう大きく設定されるが、具体的には、広告主のＵＲＬ５の記事スペースは、その広告掲載を求める広告主用スペース３に対して３０％〜７０％の比率を占めるのが好ましい。例えば図３は広告主のＵＲＬ５の記事スペースが、その広告掲載を求める広告主用スペース３に対して約４０％と約３０％の比率を占めるものを図示した別態様のホームページ紹介広告紙１であるが、ＵＲＬ５の文字を充分読み取れる大きさになっている。斯かる範囲内にすることによって、需要者はＵＲＬ５の文字を視認し、パソコンを使ってＵＲＬ５を打ち込み、希望するホームページに容易に且つ効率良くたどり着ける。
【００１６】
また、図４は別態様のホームページ紹介広告紙１を示す。図１のホームページ紹介広告紙の各広告主用スペース３に、さらにＵＲＬ５の情報をコード化した二次元コード１０の記事を掲載する。広告主用スペース３にＵＲＬ５の情報をコード化した二次元コード１０の記事が載ると、コードリーダ機能を備えるカメラ付き携帯電話等で二次元コード１０からＵＲＬ５を認識できるので、二次元コード１０を撮影して瞬時にＵＲＬ５にアクセスできるようになる。
二次元コード１０は、横方向にしか情報をもたせることができなかった一次元コード(バーコード)に対し、水平方向と垂直方向のそれぞれに情報をもたせられることから大容量の情報をコード化できる。二次元コード１０は記録できる情報量が極めて大きいことからＵＲＬ５の情報をこの二次元コード１０で表現すれば、図４のごとく各広告主スペース３のうちの極く小さなスペースを確保するだけで足り、本発明に打ってつけとなっている。二次元コード１０にはスタック型二次元コードやマトリックス型二次元コードがあるが、ここではマトリックス型二次元コードの一つであるＱＲコード(登録商標)を用いている。ＱＲコード１０ａは白黒の正方形の最小単位たるセルの組み合わせで表現され、位置検出パターンとタイミングパターン,誤り訂正レベルやマスク番号等のフォーマット情報から構成される(http//www.keyence.co.jp/barcode/2jigenbasic /chishiki4.html)。 
【００１７】
また、図１はホームページ紹介広告紙１の表面を示すが、裏面にも同じような形態の多数の広告割当てマス２を区分けして設け、且つ各マス２が広告掲載を求める広告主用スペース３に配分されると共に、配分された各広告主用スペース３に広告主名４と該広告主のＵＲＬ５等を掲載すると、倍の件数のＵＲＬ５を一覧表示できより好ましくなる。裏面の広告割当てマス２を表面と同じにすれば、表裏合計で８０個のマスが配置され、８０社分もの広告主用スペース３が出来上がることとなる。
【００１８】
斯かるホームページ紹介広告紙１は各家庭の冷蔵庫９の側壁９１などに貼って利用される(図４)。需要者が住む地域の広告主のＵＲＬ５を紙一枚に満載しており、例えば来客があり食事をする時などその食事メニューの具体的内容を予め知りたい時は、ホームページ紹介広告紙１に載るレストラン等のＵＲＬ５を使ってそのレストランのホームページにアクセスし、家に居ながらにして気軽に且つスピーディに調べることができる。
【００１９】
このように構成されたホームページ紹介広告紙１は、地域に密着した利用価値の高いＵＲＬ５が一枚の用紙に満載して紹介されているので重宝する。そして、地域版で選択し易く、且つ一覧表で見易く必要とするＵＲＬ情報を時間をかけずに知ることができる。広告本と違って、本を引っ張りだすことがなく、さらに引っ張り出した本をめくって必要なところを探す手間もない。需要者はホームページ紹介広告紙１の紙面１ａの必要なＵＲＬ５を見て、直ちにそれをパソコンや携帯電話から入力しアクセスできる。従来、需要者が求めるホームページに到達するまでに多大な労力と時間、それにプロバイダ等への接続等のアクセス費用がかかっていたが、これらがなくなるので、労力と時間とコストを削減できる。特に、図４のごとくＵＲＬ５の情報をコード化したＱＲコード１０ａ(二次元コード)の記事が掲載されたホームページ紹介広告紙１は、ＱＲコード対応携帯電話等を用いれば、そのＱＲコード１０ａを撮影することによって携帯電話がＵＲＬ５を認識し所望のホームページにアクセスするので、いたって便利になる。気軽に広告主のホームページにアクセスし、その有益な情報を簡単に取り寄せることができる。
【００２０】
一方、ホームページ紹介広告紙１の広告主は該ホームページ紹介広告紙１に広告を出すことによって、広告主のホームページへのアクセス数を増すことができる。ホームページが有効活用されて、ホームページの開設に投じた資金,等を十二分に回収できる。そして、ホームページ紹介広告紙１への広告は、単独の場合と違って数多くの広告主が一同に載る集合紙であるので、その広告費用は低く抑えることができる。単独広告では費用が高額で小規模の商店等にとっては過大な負担であったが、一枚のホームページ紹介広告紙１に多数の広告主が掲載されることによって一広告主当たりの負担が軽減され、宣伝広告費用を削減でき安く広告が出せるメリットがある。集合紙であるので紙資源を節約し、環境保全に貢献する。ホームページ紹介広告紙１の広告主には、これまで高額な資金をかけてホームページを作ったが実際にはあまり見てもらってない現状があり、この現状を何とか打開し、少額の資金で数多くの地域の人にＰＲしたいという願望があったが、本発明のホームページ紹介広告紙１の登場によって一挙に解決することとなる。
また、ホームページ紹介広告紙１の発行元は、この広告紙がローカル紙なので地域に絞って広告主を比較的容易に募ることができる。月一回または二回程度のインターバルで広告主を変えてホームページ紹介広告紙１を発行していけば収益性ある事業になる。
【００２１】
尚、本発明においては前記実施形態に示すものに限られず、目的,用途に応じて本発明の範囲で種々変更できる。ホームページ紹介情報広告紙１,広告割当てマス２,広告主用スペース３,広告主名４,ＵＲＬ５,広告主の電話番号６,広告主の住所７,広告主のＰＲ文８,二次元コード１０の形状,大きさ等は用途に合わせて適宜選択できる。実施形態では広告割当てマス２の四方を完全に囲っているが、必ずしもすべて囲う必要はない。また実施形態では、４つの業種,分野別ブロックに分けられていたが、ブロック分けすることを限定するものでない。ホームページ紹介情報広告紙１に実施形態ではＢ３サイズの用紙を用いたが、種々のサイズのものを用いることができる。
【図面の簡単な説明】
【００２２】
【図１】本発明のホームページ紹介情報広告紙の一形態で、その平面図である。
【図２】図１と別態様のホームページ紹介広告紙の平面図である。
【図３】図１と別態様のホームページ紹介広告紙の平面図である。
【図４】図１と別態様のホームページ紹介広告紙の平面図である。
【図５】ホームページ紹介広告紙の使用状態の説明斜視図である。
【符号の説明】
【００２３】
１      ホームページ紹介広告紙(ホームページ紹介情報広告紙)
１ａ    紙面
２      マス(広告割当てマス)
３      広告主用スペース
４      広告主名
５      ＵＲＬ(広告主のＵＲＬ)
６      電話番号(広告主の電話番号)
７      住所(広告主の住所)
８      ＰＲ文(広告主のＰＲ文)
１０    二次元コード
【図１】
2006010987.tif 000003
【図２】
2006010987.tif 000004
【図３】
2006010987.tif 000005
【図４】
2006010987.tif 000006
【図５】
2006010987.tif 000007